(57)【要約】      （修正有）【課題】コンピュータソフトウェアに対し、広告及び景品賞金プレゼントの挿入、変更、及び削除を可能にする制御方法を提供する。【解決手段】既存もしくは新規開発されたコンピュータソフトウェアとコンピュータソフトウェア広告及び景品賞金プレゼント挿入システムを結合させた本発明ソフトウェアを、インターネット及び物流などの手段によって、また、広告主の買取配布などの方法によって利用者に入手させ、広告及び景品賞金プレゼントを挿入、入れ替え、削除などの制御を行うものである。【選択図】図２
2007241971.tif 000002
【特許請求の範囲】
【請求項１】
コンピュータソフトウェアに挿入する対価変動式広告及び景品賞金プレゼントソフトウェア。
【請求項２】
コンピュータソフトウェアに広告及び景品賞金プレゼントソフトウェアを挿入することによっての流通方法及び流通方法の変更システム。
【請求項３】
コンピュータソフトウェアに広告及び景品賞金プレゼントソフトウェアを挿入することによってのソフトウェア自体の金額査定対価変更システム。
【請求項４】
コンピュータソフトウェアに広告及び景品賞金プレゼントソフトウェアを挿入後のソフトウェア自体の広告及び景品賞金プレゼント削除及びスキップシステム。
【発明の詳細な説明】
【技術分野】
【０００１】本発明は既存もしくはこれから開発されるコンピュータソフトウェアに広告及び景品賞金プレゼントを目的としたソフトウェアを挿入する。
【背景技術】
【０００２】近年、パーソナルコンピュータの普及によりコンピュータソフトウェアの販売は増加の一途を辿りその販売方法は無料から有料まで多義に及んでいる。
【発明の開示】
【発明が解決しようとする課題】
【０００３】コンピュータソフトウェアはその販売価格が無料と有料に区別されるが、有料のソフトウェアはその販売価格を利用者だけに負わせている。【０００４】そして利用者のコンピュータソフトウェアへの多額の出費はソフトウェア自体の普及を妨げている。【０００５】ソフトウェアの流通形態の一つでユーザはネットワークなどから自由にソフトウェアを取得することができ、一定の試用期間の間は料金を払わずに利用することができる（試用版には制限が設けられていることもある）シェアウェアコンピュータソフトウェアは、試用してみて気に入ったら、入金してユーザ登録を行い、継続利用する権利を取得するものであるが、その代金の回収というソフトウェア開発とは関係のない手間がかかるのが現状である。【０００６】広告及び景品賞金プレゼント宣伝を目的とするコンピュータソフトウェアはその広告及び景品賞金プレゼント目的にだけ作られたものが殆どで普及して使われることが少ない。【０００７】広告及び景品賞金プレゼント宣伝を目的とするコンピュータソフトウェアは、広告及び景品賞金プレゼントの入れ替えや内容の変更などがされず、利用者が広告及び景品賞金プレゼントを拒否したい場合、代金を支払っても広告及び景品賞金プレゼントを除くことが出来ない。
【課題を解決するための手段】
【０００８】既存もしくは新規開発されたコンピュータソフトウェアとコンピュータソフトウェア広告及び景品賞金プレゼント挿入システムを結合させた本発明ソフトウェアを、インターネット及び物流などの手段によって、また、広告主の買取配布などの方法によって利用者に入手させ、広告及び景品賞金プレゼントを挿入、入れ替え、削除などの制御を行うものである。
【発明の効果】
【０００９】本発明を利用することによって、コンピュータソフトウェア販売価格は刻広告及び景品賞金プレゼント代金として開発者に支払われ、利用者は現在の無料と有料に区別されることなく、無料もしくは現行よりも低額で利用できる。【００１０】本発明を利用することによって、利用者のコンピュータソフトウェアへの出費が減少し、ソフトウェア自体の普及が促進される。【００１１】シェアウェアコンピュータソフトウェアを無料及び低額にすることができ、その代金の回収というソフトウェア開発とは関係のない手間がかからない。【００１２】本発明を利用することによって、広告及び景品賞金プレゼント宣伝を目的とするコンピュータソフトウェアはその広告及び景品賞金プレゼント目的にだけ作られたものではなく普及して使われるソフトウェアにつけることができるため、どのようなソフトウェアと広告及び景品賞金プレゼント宣伝の組み合わせも可能となる。【００１３】本発明を利用することによって、広告及び景品賞金プレゼントの入れ替えや内容の変更などが可能となり、利用者が広告及び景品賞金プレゼントを拒否したい場合、金員をもって広告及び景品賞金プレゼントを削除することが可能となる。
【発明を実施するための最良の形態】
【００１４】既存もしくは新規開発されたコンピュータソフトウェアと結合させるための広告及び景品賞金プレゼント挿入ソフトウェアを開発した。【００１５】既存もしくは新規開発されたコンピュータソフトウェアと本発明コンピュータ広告及び景品賞金プレゼント挿入ソフトウェアを結合させたソフトウェアを制作またはインターネット上で既存・新規開発されたコンピュータソフトウェアとコンピュータソフトウェア広告及び景品賞金プレゼント挿入システムを擬似に結合させ、インターネット及び物流によって広告及び景品賞金プレゼントを挿入、入れ替え、削除などの制御を行う方法を見出した。【００１６】即ち、既存もしくは新規開発されたコンピュータソフトウェアを手動及び自動で制御し広告及び景品賞金プレゼント宣伝を行うことが可能となる。【００１７】既存もしくは新規開発されたコンピュータソフトウェアと本発明コンピュータ広告及び景品賞金プレゼント挿入ソフトウェアを結合させたソフトウェアを制作またはインターネット上で既存・新規開発されたコンピュータソフトウェアとコンピュータソフトウェア広告及び景品賞金プレゼント挿入システムを擬似に結合させ、既存もしくは新規開発されたコンピュータソフトウェアの価格設定を行い、広告及び景品賞金プレゼントの料金と広告及び景品賞金プレゼントの量及び価格の変動を可能にした。
【実施例１】
【００１８】図１は既存もしくは新規開発されたコンピュータソフトウェアと結合させるための広告及び景品賞金プレゼント挿入ソフトウェアの詳細説明である。
既存もしくは新規開発されたコンピュータソフトウェアとコンピュータソフトウェア広告及び景品賞金プレゼント挿入システムを結合させた本発明ソフトウェアを制作またはインターネット上で既存もしくは新規開発されたコンピュータソフトウェアとコンピュータソフトウェア広告及び景品賞金プレゼント挿入システムを擬似に結合させ、インターネット及び物流によって広告及び景品賞金プレゼントを挿入、入れ替えるシステム図である。
手段はインターネット及びイントラネットなどの遠隔操作またはソフトのインストールなどの物流的操作によって行う。【００１９】図２は既存もしくは新規開発されたコンピュータソフトウェアと結合させるための広告及び景品賞金プレゼント挿入ソフトウェアの運用例である。【００２０】図３は本発明のコンピュータソフトウェア広告及び景品賞金プレゼント挿入システムの組合せ例である。
【産業上の利用可能性】既存もしくは新規開発されたコンピュータソフトウェアとコンピュータソフトウェア広告及び景品賞金プレゼント挿入システムを結合させた本発明ソフトウェアを、インターネット及び物流によって広告及び景品賞金プレゼントを挿入、入れ替え、削除などの制御を行うことで、コンピュータソフトウェア販売価格は刻広告及び景品賞金プレゼント代金として開発者に支払われ、利用者は現在の無料と有料に区別されることなく、無料もしくは現行よりも低額で利用できる。
また、本発明を利用することによって、利用者のコンピュータソフトウェアへの出費が減少し、ソフトウェア自体の普及が促進され、今までに良いソフトウェアであるにも関わらず日の目をみなかったソフトウェアも本発明によって金員の確保が容易に可能になり、普及する可能性が生まれる。それは、個人や中小企業などのシェアウェアコンピュータソフトウェア開発者にも同様で、その代金の回収というソフトウェア開発とは関係のない手間がかからず、研究開発に専念することが可能となる。
本発明を利用することによって、広告及び景品賞金プレゼント宣伝を目的とするコンピュータソフトウェアはその広告及び景品賞金プレゼント目的にだけ作られたものではなく普及して使われるソフトウェアにつけることができるため、どのようなソフトウェアと広告及び景品賞金プレゼント宣伝の組み合わせも可能となるため、ソフトウェアのもつ潜在的な能力により広告及び景品賞金プレゼント宣伝主や価格を変動することも出来るため、新しい広告及び景品賞金プレゼント媒体の手段として期待できる。
本発明を利用することによって、コンピュータソフトウェアの開発者と利用者の一方通行を防ぎ、開発者と広告及び景品賞金プレゼント主からは広告及び景品賞金プレゼントの入れ替えや内容の変更などを可能とし、利用者が広告及び景品賞金プレゼントを拒否したい場合には金員をもっての広告及び景品賞金プレゼントの削除を可能としている。
本発明を利用することによって、利用者のリクエストにより広告及び景品賞金プレゼントの入れ替えや内容の変更などを可能としている。
本発明を利用することによって、利用者のブラウザでの検索利用状況などに応じて自動もしくは手動での広告及び景品賞金プレゼントの入れ替えや内容の変更などを可能としている。
コンピュータソフトウェア利用後もソフトウェア自体の金額査定対価変更が可能となる。
【図面の簡単な説明】
【図１】図１は既存もしくは新規開発されたコンピュータソフトウェアと結合させるための広告及び景品賞金プレゼント挿入ソフトウェアの詳細である。▲１▼は企業の商品及びサービスの広告及び景品賞金プレゼント静止画及び動画・音声・音楽をインターネットでの転送及び物流によるインストールで書き換えを可能なものとする。▲２▼は企業の商品及びサービスの広告及び景品賞金プレゼント入れ替え機能である。これは既存の企業の商品及びサービスの広告及び景品賞金プレゼントそのものを他の企業の商品及びサービスの広告及び景品賞金プレゼントと入れ替える機能である。▲３▼は企業の商品及びサービスの広告及び景品賞金プレゼントの削除及びスキップ機能で、利用者のリクエストで使用者が広告及び景品賞金プレゼントを不要と判断した場合、その広告対価分を支払うことで広告及び景品賞金プレゼントを削除またはスキップしプログラムソフトウェアを利用可能とするものである。▲４▼は内外部ＯＳやブラウザ検索機能との連携し、カテゴリー別自動選択機能で企業の商品及びサービスの広告及び景品賞金プレゼントを選択が可能で、手動設定も可能とする機能である。▲５▼はＯＳやプロバイダや検索サイト等のプログラムなどの外部制御機能プログラムもしくは利用者パソコン内部プログラムと連携し、カテゴリー別自動選択機能で企業の商品及びサービスの広告及び景品賞金プレゼントを選択が可能で、手動設定も可能とする機能である。▲６▼本発明の内容のすべてを内部プログラムの外部制御プログラムによる書き換え機能で、遠隔によりすべてのプログラムの変更が可能である。
【図２】本図は本発明ソフトウェアプログラム運用例である。▲１▼は広告及び景品賞金プレゼント主であり、広告及び景品賞金プレゼント広告の配布希望請求を受け広告及び景品賞金プレゼント広告の掲載を行い、件数の報告後料金を請求するか、事前に予測した価格で料金の請求を行う。▲２▼は利用者であり、本発明をインターネットによるダウンロードもしくは物流による店頭販売・広告主買取による配布などにより得ることができる。得た後に自動・手動による広告及び景品賞金プレゼント広告のリクエストが可能で、広告及び景品賞金プレゼントが不要な場合はその広告及び景品賞金プレゼント広告掲載分の金員の支払うことでその広告及び景品賞金プレゼント情報を削除またはスキップでき、ソフトウェアを利用できる。▲３▼はプロバイダや検索サイト等のプログラムであり、このプログラムのリクエストにより利用者の嗜好を分類し、嗜好に合わせ、ジャンル分けされた広告及び景品賞金プレゼント広告の中から自動または手動で制御を行い表示することが可能である。▲４▼は既存及び新開発のソフトウェア開発制作企業及び個人であり、既存及び新開発のソフトウェアの供給を本発明に行うことで、既存及び新開発のソフトウェアを本発明を結合及び遠隔での融合を行う。既存及び新開発のソフトウェアの対価として既存及び新開発のソフトウェア開発制作企業及び個人に利用状況や以前の類似ソフトの販売状況と人的な考察を含めて査定で決定した金額を承認した上で、ソフト配布分の広告額及び金員の支払を本発明運営者もしくは広告及び景品賞金プレゼント主から行う。
【図３】本図は本発明ソフトウェアプログラム組合せ例である。基本的に▲１▼〜▲９▼の組合せで企業の商品及びサービスの広告及び景品賞金プレゼントの情報を動画・音声・音楽及び静止画と文字の組み合わせで利用者に閲覧可能なものとする。
【図１】
2007241971.tif 000003
【図２】
2007241971.tif 000004
【図３】
2007241971.tif 000005